(57)【要約】【課題】フィルターユニットが確実に正規の位置に取付き、誤取付けを防止した送風機を提供することを目的とする。【解決手段】外郭を形成する筐体２と、筐体２の内部に空気を取り入れるための吸込口５を有するルーバー３と、吸込口５を介して筐体２の内部に空気を吸い込む送風部１２と、ルーバー３と送風部１２との間に設けられ吸込口５から吸込まれた空気を浄化するフィルターユニット１０と、備え、フィルターユニット１０は、フィルターユニット１０の上流面からルーバー３に向けて立設して先端がルーバー３と接触する突出部を備え、フィルターユニット１０の給気口面１７への正常固定時においてフィルターユニット１０と接触する給気口面１７からルーバー３の下流面までの距離が、フィルターユニット１０の給気口面１７と接触するフィルターユニット１０の下流面から第一突出部２３、第二突出部２４の先端までの距離と一致する送風機を提供する。【選択図】図６
2020153577.tif 000002
【特許請求の範囲】
【請求項１】
外郭を形成する筐体と、
前記筐体内部に空気を取り入れるための吸込口を有するルーバーと、
給気口を有し前記吸込口及び前記給気口を介して前記筐体内部に空気を吸い込む送風部と、
前記ルーバーと前記送風部との間に設けられ前記吸込口から吸込まれた空気を浄化するフィルターユニットと、備え、
前記フィルターユニットは、
前記フィルターユニットの上流面から前記ルーバーに向けて立設して先端が前記ルーバーと接触する突出部を備え、
前記フィルターユニットの前記給気口への正常固定時において前記フィルターユニットと接触する給気口面から前記ルーバーの下流面までの距離が、前記フィルターユニットの前記給気口と接触するフィルター下流面から前記突出部の先端までの距離と一致する送風機。
【請求項２】
前記給気口と前記フィルターユニットとを着脱可能に固定する固定構造を備え、
前記固定構造は、
前記給気口面と前記フィルター下流面とが接触した状態にて前記フィルターユニットを前記給気口に正常固定する請求項１記載の送風機。
【請求項３】
前記突出部は、
前記フィルターユニットの外周縁部と前記外周縁部に対向する外周対向縁部とに設けられた請求項１または２記載の送風機。
【請求項４】
前記固定構造は、
前記フィルターユニットの外周に設けられた第一の固定部と、
前記給気口に設けられ前記第一の固定部と係合する第二の固定部と、を備えた請求項２に記載の送風機。
【請求項５】
前記固定構造は、
複数の前記第一の固定部と、
複数の前記第一の固定部に対応する複数の前記第二の固定部と、を備え、
少なくとも前記第一の固定部が対向する位置に設けられた請求項２または４記載の送風機。
【請求項６】
前記第一の固定部は、
前記フィルターユニットの外周からさらに外周側に突出する爪部であり、
前記第二の固定部は、
前記爪部が挿入される開口である請求項４または５記載の送風機。
【請求項７】
前記突出部は、
前記第一の固定部の上流側直線上に設けられた請求項４から６のいずれかに記載の送風機。
【発明の詳細な説明】
【技術分野】
【０００１】
本発明は、筐体内に吸い込まれた空気を浄化するフィルターユニットを備えた送風機に関するものである。
【背景技術】
【０００２】
従来の送風機のフィルター取付け装置は、フィルターユニットをボルトや治具などを用いて固定していた（例えば下記特許文献１）。
【０００３】
従来のフィルター取付け装置の構成を図８に示す。
【０００４】
図８に示す送風機１０１は、ファン１０２と吹き出し口１０３とフィルター１０４などが設けられている。
【０００５】
フィルター１０４は押さえ板１０６の第１平板部１０６ａの先端をフィルター１０４の端縁部に係合させ、また差込みブロック１０６ｄの頂部を、フィルター１０４を囲繞する壁部の内周面１０８に線接触させている。この状態で、ナット１０７を締めつける。これによって、フィルター１０４を吹き出し口１０３の外周に形成された取付基部１０５に固定配置される。
【先行技術文献】
【特許文献】
【０００６】
【特許文献１】実開平６−１１８１９号公報
【発明の概要】
【発明が解決しようとする課題】
【０００７】
このような従来の送風機においては、内部への埃や異物などの侵入を防ぐためにフィルターユニットが内蔵されているが、フィルターユニットの取付けが複雑であるという課題があった。また、シンプルな嵌め込み式のフィルターユニットの場合、容易にフィルターユニットを取付けできるものの、フィルターユニットが正常固定時の位置に取付いておらず、そのまま使用されるという課題を有していた。
【０００８】
そこで本発明は、上記従来の課題を解決するものであり、フィルターユニットを容易に正常固定時の位置に取付けることができる送風機を提供することを目的とする。
【課題を解決するための手段】
【０００９】
そして、この目的を達成するために、本発明に係る送風機は、外郭を形成する筐体と、前記筐体内部に空気を取り入れるための吸込口を有するルーバーと、給気口を有し前記吸込口及び前記給気口を介して前記筐体内部に空気を吸い込む送風部と、前記ルーバーと前記送風部との間に設けられ前記吸込口から吸込まれた空気を浄化するフィルターユニットと、備え、前記フィルターユニットは、前記フィルターユニットの上流面から前記ルーバーに向けて立設して先端が前記ルーバーと接触する突出部を備え、前記フィルターユニットの前記給気口への正常固定時において前記フィルターユニットと接触する給気口面から前記ルーバーの下流面までの距離が、前記フィルターユニットの前記給気口と接触するフィルター下流面から前記突出部の先端までの距離と一致するものであり、これにより所期の目的を達成するものである。
【発明の効果】
【００１０】
本発明によれば、フィルターユニットを容易に正常固定時の位置に取付けることができる。
【図面の簡単な説明】
【００１１】
【図１】本発明に係る送風機の外観斜視図
【図２】本発明に係る送風機のルーバーを示す外観斜視図
【図３】本発明に係る送風機の筐体内部を示す概略図
【図４】本発明に係る送風機のフィルターユニットを取外した状態の筐体内部を示す概略図
【図５】本発明に係る送風機のフィルターユニットを示す概略図
【図６】本発明に係る送風機のフィルターユニットの着脱手順を示す概略断面図
【図７】本発明に係る送風機のフィルターユニットが正常固定時の位置にない状態を示す概略断面図
【図８】フィルター取付け装置の構成を示す概略断面図
【発明を実施するための形態】
【００１２】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１３】
（実施の形態）
まず、図１を用いて送風機１の概要を説明する。なお、図１は、送風機１の外観斜視図である。図１に示すように、送風機１は、外郭を形成する筐体２と、筐体２の下面にルーバー３を備えている。送風機１は、設置時には例えば天井に配置され、筐体２を天井板から上方に格納し、ルーバー３を室内側に対向させて天井板と略同一平面上に設けられる。天井のみでなく、壁に配置される場合もある。壁に配置される場合には、室内を基準として筐体２を壁板の外側に格納し、壁板と略同一平面上にルーバー３が設けられる。
【００１４】
次に、図２を用いてルーバー３の構成について説明する。なお、図２（ａ）はルーバー３の上流面、図２（ｂ）はルーバー３の下流面を示している。ここで、ルーバー３における上流面とは、例えば設置時に室内側に対向する面を、下流面とは筐体２側に対向する面を指す。
【００１５】
ルーバー３は、円形平面部４と、変向部８と、吸込口５と、外周ルーバー３ｂと、吹出口６とを備える。
【００１６】
円形平面部４は、ルーバー３の中央に円形の平面板として設けられる。円形平面部４は、スリット等は設けられておらず、すなわち空気を通過させない。円形平面部４の外周側には、変向部８が設けられている。
【００１７】
変向部８は、中心を円形平面部４と共通、すなわち同心円として形成され、中空円形状、すなわちドーナツ形状を有する。変向部８は、中央の開口部に円形平面部４を位置させることで変向部８の内周と円形平面部４の外周との間に吸込口５を形成する。変向部８は、外周端を形成する平面が円形平面部４とほぼ同一平面上に設けられ、内周端を形成する平面は円形平面部４よりも筐体２側に位置して構成されている。つまり、変向部８の内周と円形平面部４の外周との間に形成される吸込口５は、円形平面部４と同一平面状ではなく、円形平面部４の外周端を内周側の基準として、外周方向に向かうにつれて漸次筐体２側に向かう傾斜構造を有している。変向部８は、内周端にて下流面から筐体２側に向けて起立する円形の仕切部７が設けられ、変向部８の外周には、外周ルーバー３ｂが設けられている。
【００１８】
仕切部７は、変向部８の内周端部全周にわたって下流面から筐体２側に向けて立設して設けられている。仕切部７は、後述の筐体２に設けられた仕切壁に接続することで、ルーバー３近傍での吸込口５と吹出口６との空間的独立を維持する。仕切部７には複数の連結リブ９（連結リブ９ａ）が放射状に形成されている。
【００１９】
連結リブ９ａは円形平面部４の外周端と仕切部７の内周端とを連結している。
【００２０】
吸込口５は、円形平面部４の外周に、円形平面部４から外周側に向けて同一幅で全周にわたって設けられている。吸込口５は、上述のように開口として設けられており、さらに連結リブ９ａによって等間隔で複数の開口に分割されている。変向部８の傾斜構造によって、吸い込む空気が変向部８の外周から内周に向かって導かれ、吸込口５から筐体２内部に吸い込まれる。
【００２１】
外周ルーバー３ｂは、円形平面部４に対して同心円として形成され、ドーナツ形状を有する。外周ルーバー３ｂは、中央の開口部に円形平面部４と変向部８とを位置させることで変向部８の外周との間に吹出口６を形成する。外周ルーバー３ｂは、平面が円形平面部４とほぼ同一平面上に設けられている。外周ルーバー３ｂは、下流面の内周端から筐体２側に向けて傾斜して起立する外周仕切部７ｂを備える。
【００２２】
外周仕切部７ｂは、外周ルーバー３ｂの内周部全周にわたって設けられている。外周仕切部７ｂは、起立した先端に向かうほどに円形平面部４側に傾斜して設けられている。外周仕切部７ｂは、後述の筐体２の外周壁に接続することで、筐体２内部からの空気をスムーズに外部に排出する。外周仕切部７ｂには、複数の連結リブ９ｂが放射状に形成されており、変向部８と外周ルーバー３ｂとを連結する。
【００２３】
吹出口６は、変向部８の外周側、すなわち吸込口５の外周に開口として設けられ、連結リブ９ｂによって等間隔で複数の開口に分割されている。吹出口６は、変向部８の傾斜構造と、外周仕切部７ｂの傾斜とにより、吹き出す空気を円形平面部４の中心軸に対して外周側に向けて導く外広がり構造を有している。
【００２４】
以上がルーバー３の構成である。
【００２５】
次に図３、図４を用いて筐体２内部の構成について説明する。
【００２６】
なお、図３は筐体２からルーバー３を取外し、フィルターユニット１０が取付けられた状態、図４は筐体２からフィルターユニット１０を取外した状態を示している。
【００２７】
筐体２は、流入風路１３と、給気口面１７と、フィルターユニット１０と、送風部１２と、吹出風路１４と、操作部１８と、を備える。
【００２８】
流入風路１３は、吸込口５から流入した空気が送風部１２に至るまでの風路である。流入した空気は、フィルターユニット１０、吹出風路１４の順番に通過し、吹出口６を介して筐体２の外部に放出される。筐体２の内部には、流入風路１３と吹出風路１４をそれぞれ独立して形成するための仕切壁１１が備えられており、仕切壁１１の内側の区画にフィルターユニット１０が取付けられる。なお、仕切壁１１は、筐体２にルーバー３が取付けられた際、仕切壁１１の上流側端部とルーバー３の仕切部７の下流側先端部が当接する位置に設けられている。仕切壁１１は、開口１５を備える。
【００２９】
開口１５は、矩形の開口であり、第二の固定部として機能する。開口１５は、フィルターユニット１０に設けられた第一の固定部、すなわち固定部２５ａに係合することで、フィルターユニット１０を仕切壁の内周に維持する。なお、固定部２５ａについては後述する。
【００３０】
給気口面１７は、流入風路１３の下流端であり、送風部１２の上流端近傍に設けられる。給気口面１７は、中空円形の形状であり、板状における平面が空気の流れに対して垂直に配置される。給気口面１７における中空空間が、送風機１の流入風路１３を形成する。給気口面１７は、仕切壁１１で形成される流入風路を縮小するとともに、板状における平面が正常固定時におけるフィルターユニット１０を支持する機能を有する。
【００３１】
フィルターユニット１０は、流入風路１３を上流から下流に流れて当該フィルターユニット１０を通過する空気を浄化する。フィルターユニット１０の下流側には送風部１２が配置されている。なお、フィルターユニット１０の詳細については後述する。
【００３２】
送風部１２は、ターボファンとモータ１６とを備える。送風部１２は、ファンとして、シロッコファンなど、他の遠心送風機を用いても良い。ターボファンは、モータ１６の回転軸に固定されており、モータ１６に給電されてモータ１６の回転軸が回転することにより回転する。ファンの回転により、ファン中央から給気を行い外周側に排気を行う。つまり、送風機１は、送風部１２が、吸込口５、流入風路１３を介して筐体２内に空気を吸い込み、吹出風路１４、吹出口６を介して空気を排出する。
【００３３】
吹出風路１４は、送風部１２から吹出口６に至るまでの風路である。吹出風路１４は、仕切壁１１の外側の区画に形成させる。つまり、フィルターユニット１０が取付けられている仕切壁１１の内側の区画は、ルーバー３の吸込口５から吸込まれ送風部１２へ流入する空気が流れる流入風路１３が形成される。そして、仕切壁１１の外側の区画は、送風部１２から吹出されルーバー３の吹出口６から排出される空気が流れる吹出風路１４が形成される。
【００３４】
操作部１８は、フィルターユニット１０と同一平面上にあり、仕切壁１１の内周側に接するように位置する。操作部１８は、メンテナンスや点検の際、送風機１本体の主電源をオン・オフするスイッチが備えられた部分である。
【００３５】
次に図５を用いてフィルターユニット１０の詳細構成について説明する。
【００３６】
なお、図５（ａ）はフィルターユニット１０の上流面からの斜視図、図５（ｂ）は下流面からの斜視図である。ここで、フィルターユニット１０における上流面とは、ルーバー３に対向する面を、下流面とは送風部１２に対向する面を指す。
【００３７】
フィルターユニット１０は、図５（ａ）に示すように、上流面を天面、下流面を底面とする中空円筒形状を有する。フィルターユニット１０は、側面から中心軸方向に向かって窪んだ操作部格納空間２８と、上流面に、フィルター２２と、リブ２１と、第一突出部２３と、第二突出部２４と、側面に、固定部２５ａと、切欠部２７と、リブ２６と、下流面に、固定部２５ｂと、を備える。
【００３８】
操作部格納空間２８は、フィルターユニット１０の外周から中心方向に窪んだ矩形の空間であり、矩形における長辺がフィルターユニット１０の外周に面して設けられる。フィルターユニット１０を筐体２内部に正常固定した際、筐体２に設けられている操作部１８が矩形内に位置し、すなわち格納される空間である。
【００３９】
フィルター２２は、ナイロンを素材としたメッシュ状の薄布であり、ルーバー３の吸込口５から流入した空気から埃や異物などを除去することができる。
【００４０】
リブ２１は、上流面を四等分するように十字型に設けられている。リブ２１は、フィルター２２に接触固定させることで、フィルター２２が風圧に耐えることができるように、フィルター２２の面強度を高める機能を有する。
【００４１】
第一突出部２３は、フィルターユニット１０の上流面の外周縁部に、上流面から円筒形状における軸と平行方向に立設して設けられる。第一突出部２３は、フィルターユニット１０を側面視にして台形形状を有する板状部材であり、突出する先端が上底を、上流面に接続する接続面が下底を構成する。第一突出部２３は、上流面の周上であって、操作部格納空間２８に対向する位置に設けられる。
【００４２】
第二突出部２４は、上流面の周上であって第一突出部２３に対向する外周対向縁部に設けられる。本実施の形態では、操作部格納空間２８の各短辺に一つ、合計二つ設けられる。第二突出部２４は、フィルターユニット１０の上流面から円筒形状における軸と平行方向に立設し、短辺上で互いの平面が対向するよう設けられる。第二突出部２４の上流面から突出先端までの高さは、第一突出部２３の上流面から突出先端までの高さと同一である。つまり、二つの第二突出部２４と、第一突出部２３とが上流面の周上の三か所に配置され、二つの第二突出部２４の先端と第一突出部２３の先端とによって規定される平面が、上流面と面平行に形成される。
【００４３】
固定部２５ａは、フィルターユニット１０の側面外周に、外周方向に突出する爪部として設けられる。固定部２５ａは、第一の固定部として機能し、筐体２内部の仕切壁１１に設けられた開口１５、つまり、第二の固定部と係合することで、フィルターユニット１０を流入風路１３の内部に固定する。
【００４４】
切欠部２７は、固定部２５ａの周方向における両側に、フィルターユニット１０の円筒形状における軸と平行に施される。切欠部２７は、フィルターユニット１０の取付け、つまり、固定部２５ａの開口１５への係合を容易にするため、突出部２３の屈曲を補助する。
【００４５】
側面リブ２６は、フィルターユニット１０の側面内周に、フィルターユニット１０の円筒形状における軸と平行に立設し、複数設けられている。側面リブ２６は、当該フィルターユニット１０の外郭形状を保つ役割を担う。
【００４６】
固定部２５ｂは、フィルターユニット１０の下流面の縁端部であって、固定部２５ａに対向する位置に設けられている。固定部２５ｂは、固定部２５ａと同様、他の第一の固定部として機能し、開口１５とは別の第二の固定部として機能する操作部格納空間２８の下流面側の縁端部と係合する。
【００４７】
フィルターユニット１０を流入風路１３内に着脱可能に固定する固定構造は、フィルターユニット１０側における固定部２５ａ及び固定部２５ｂと、筐体２側の仕切壁１１に設けられた開口１５及び操作部１８の下流面の縁端部と、が該当する。
【００４８】
つまり、固定構造として、フィルターユニット１０の側面外周に設けられた固定部２５ａが、切欠部２７の補助により、仕切壁１１に設けられた開口１５と係合する。また、フィルターユニット１０の下流面の縁端部に設けられた固定部２５ｂが、操作部格納空間２８の下流面側の縁端部と係合する。そして、正常固定時、つまり、上述の係合が行われた状態では、フィルターユニット１０の下流面が給気口面１７の上流面と、また、フィルターユニット１０の側面が仕切壁１１の内周と接触する。
【００４９】
以上がフィルターユニット１０の詳細構成である。
【００５０】
次に、図６を用いて、送風機１におけるフィルターユニット１０の着脱手順について説明する。なお、図６は送風機１のルーバー３を取外した状態の断面概略図である。
【００５１】
送風機１の定期的なメンテナンスや清掃などを行う際、筐体２からルーバー３を取外した後、フィルターユニット１０を筐体２から取外すことができる。この際、ユーザーは、フィルターユニット１０の第一突出部２３における台形の上底近傍を摘まんで下方に引き下げることで、フィルターユニット１０が流入風路１３に対して傾く。そして、切欠部２７の存在により固定部２５ａがフィルターユニット１０の内周側に押し込まれることで固定構造が解除され、フィルターユニット１０が容易に筐体２から取外し可能となる。
【００５２】
また、フィルターユニット１０を清掃した後、フィルターユニット１０を取付ける場合には、ユーザーは、第一突出部２３における台形の上底近傍を摘まんでフィルターユニット１０を持ち上げ、操作部格納空間２８を筐体の操作部１８に合致させて押し当てる。これにより、正常固定には至らないまでも、フィルターユニット１０が流入風路１３内に仮配置される。この際、フィルターユニット１０には操作部格納空間２８と、摘まみとなる第一突出部２３が存在するため、ユーザーはフィルターユニット１０の配置方向を間違えることが無い。この仮配置の状態を図７に示す。
【００５３】
図７は、フィルターユニット１０が正常固定時の位置にない状態（仮配置）を示した図である。フィルターユニット１０の下流面から第一突出部２３の先端までの距離をＸとする。上述した構成では、フィルターユニット１０の下流面から第二突出部２４の先端までの距離も同様にＸとなる。また、送風機１にルーバー３を取付けた際、給気口面１７の上流面からルーバー３の平面部４の下流面までの距離をＹとする。
【００５４】
例えば、Ｘ＞Ｙであれば、フィルターユニット１０を筐体２に取付けると、第一突出部２３及び第二突出部２４がルーバー３の位置よりも下方に突出してしまうため、そもそもルーバー３は筐体２に取付けることができない。
【００５５】
反対に、Ｘ＜Ｙならば、フィルターユニット１０を筐体２の内部に取付けた際、第一突出部２３の先端及び第二突出部２４の先端からルーバー３の平面部４の下流面の間に空間が存在するため、ルーバー３は筐体２に適切に取付けられる。ただし、フィルターユニット１０が正常固定時の位置にない状態でルーバー３が取付けられてしまう恐れがある。つまり、第一突出部２３の先端及び第二突出部２４の先端からルーバー３の平面部４の下流面の間に空間が存在するため、フィルターユニット１０の位置が確定できず、固定構造が正しく機能していない状態でフィルターユニット１０が流入風路１３内に配置されるのである。そして、ユーザーはフィルターユニット１０の誤取付けに気づかず、そのまま使用することが懸念される。
【００５６】
そこで、フィルターユニット１０の誤取付けを防止するために本実施の形態においては、上述のようにＸ＝Ｙとしている。すなわち、フィルターユニット１０の下流面から第一突出部２３の先端及び第二突出部２４の先端までの距離と、送風機１にルーバー３を取付けた際の給気口面１７の上流面からルーバー３の下流面までの距離を一致させている。この場合、フィルターユニット１０の取り付け時には、仮にルーバー３を取り付けていない状態でフィルターユニット１０が正常固定時の位置になくても、ルーバー３が取付けられることで、フィルターユニット１０は正常固定位置に強制的に移動させられることとなる。つまり、ルーバー３の下流面がフィルターユニット１０における第一突出部２３の先端及び第二突出部２４の先端に接触した状態で、ルーバー３が筐体２に固定されることで、必然的にフィルターユニット１０が正常固定時の位置に押し上げられ、容易に、しかも正確に取付けられるのである。
【００５７】
フィルターユニット１０は、正常固定時の位置にある場合、図６のように、フィルターユニット１０の下流面が給気口面１７の上流面と、また、フィルターユニット１０の側面が仕切壁１１の内周と接触する。この状態では、フィルターユニット１０の側面外周に設けられた固定部２５ａが、仕切壁１１に設けられた開口１５と係合し、また、フィルターユニット１０の下流面の縁端部に設けられた固定部２５ｂが、操作部格納空間２８の下流面側と係合する。さらに、この状態において、第一突出部２３の先端及び第二突出部２４の先端が、ルーバー３の平面部４の下流面と接触する。
【００５８】
これにより、従来技術における課題であった、フィルターユニット１０が正常固定時の位置に取付けられない状態を防止することができる。したがって、埃や異物などが筐体２内部に侵入し、送風機１の性能低下などの原因になることを抑制することができる。
【００５９】
なお、本実施の形態においては、図５（ａ）、（ｂ）に示すように、フィルターユニット１０に備えられた第一突出部２３、第二突出部２４を合計三点、と固定部２５ａ、固定部２５ｂを合計二点示してあるが、必ずしもこの点数である必要はなく、これ以上または以下の点数を備えていてもよい。ただし、突出部が合計三点以上設けられていることで、突出部の先端により１つの平面が規定されるため、ルーバー３の装着時にフィルターユニット１０が傾くことなく流入風路１３に正確に取り付け可能となる。
【００６０】
また、第一突出部２３と、第二突出部２４との位置関係に関して、複数ある突出部は少なくとも一組が対向する位置にあることが好ましい。仮に、複数ある突出部がフィルターユニット１０の上流面において対向する位置ではなく、例えば、二つの突出部が外周縁部上で隣接して配置されていたとする。このような構成では、フィルターユニット１０が図７に示したような正常固定時の位置にない場合、ルーバー３が取付けられた際、突出部を有していない対向位置は、ルーバー３の平面部４の下流面と接触しない。このため、フィルターユニット１０全体としては、正常固定位置に移動しない可能性が残る。したがって、複数ある突出部に関して少なくとも一組が対向する位置関係にあることで、このような事態の発生を抑制できる。
【００６１】
また、固定部２５ａと、固定部２５ｂとの位置関係に関して、複数ある固定部は少なくとも一組が対向する位置関係にあることが好ましい。二つの固定部が側面外周上で近接する位置にある場合には、フィルターユニット１０の正常固定時であっても不安定になるためである。固定部を対向する位置に設けることで、フィルターユニット１０は正常固定時に安定する。
【００６２】
さらに、対向する一組の突出部は、対向する一組の固定部の上流側直線上に位置するのが好ましい。
【００６３】
仮に、対向する一組の突出部と、対向する一組の固定部とが上流直線上ではない任意の位置関係にあるとする。そうすると、ユーザーが第一突出部２３を摘まんでフィルターユニット１０を持ち上げ、正常固定させる場合、第一突出部２３と固定部２５ａの間、つまり周方向に距離が生じてしまう。ここで、フィルターユニット１０は樹脂などの比較的柔らかい素材により形成されるのが通常である。したがって、距離が長い場合には、フィルターユニット１０に歪みが生じやすい。したがって、ユーザーによるフィルターユニット１０の固定動作時の作用（力）は突出部に直接伝わるものの、距離の長い固定部には歪みにより伝わりにくい。これにより、対向する一組の突出部が対向する一組の固定部の上流側直線上にある場合に比べて大きな力が必要となる。結果として、フィルターユニット１０の取付けが困難になってしまう。ゆえに、対向する一組の突出部は、対向する一組の固定部の上流側直線上に位置するのが好ましい。
【産業上の利用可能性】
【００６４】
本発明に係る送風機は、フィルターユニットが確実に正規の位置に取付き、誤取付けを防止できるので、空気を浄化するフィルターユニットを備えた送風機等として有用である。
【符号の説明】
【００６５】
１    送風機
２    筐体
３    ルーバー
３ｂ    外周ルーバー
４    平面部
５    吸込口
６    吹出口
７    仕切部
８    変向部
９ａ    連結リブ
９ｂ    連結リブ
１０    フィルターユニット
１１    仕切壁
１２    送風部
１３    流入風路
１４    吹出風路
１５    開口
１６    モータ
１７    給気口面
１８    操作部
２１    リブ
２２    フィルター
２３    第一突出部
２４    第二突出部
２５ａ    固定部
２５ｂ    固定部
２６    側面リブ
２７    切欠部
２８    操作部格納空間
【図１】
2020153577.tif 000003
【図２】
2020153577.tif 000004
【図３】
2020153577.tif 000005
【図４】
2020153577.tif 000006
【図５】
2020153577.tif 000007
【図６】
2020153577.tif 000008
【図７】
2020153577.tif 000009
【図８】
2020153577.tif 000010